(57)【要約】【課題】光源の出力を変化させた場合に、光源の出力とモニター光との相関関係に変動が生じないようにする。【解決手段】本開示に係る医療用システムは、観察対象を撮像する撮像装置と、前記観察対象に照射する光を生成する光源装置と、を備え、前記光源装置は、異なる色の光を合波する合波部と、前記合波部により合波された光を散乱させる散乱部と、前記散乱部により散乱された光を検出する受光素子と、を有する。散乱部により散乱された光を検出することで、光源の出力を変化させた場合に、光源の出力とモニター光との相関関係に変動が生じないようにすることができる。【選択図】図１
2019198380.tif 000002
【特許請求の範囲】
【請求項１】
観察対象を撮像する撮像装置と、
前記観察対象に照射する光を生成する光源装置と、
を備え、
前記光源装置は、
異なる色の光を合波する合波部と、
前記合波部により合波された光を散乱させる散乱部と、
前記散乱部により散乱された光を検出する受光素子と、
を有する、医療用システム。
【請求項２】
異なる色の光を合波する合波部と、
前記合波部により合波された光を散乱させる散乱部と、
前記散乱部により散乱された光を検出する受光素子と、
を備える、光源装置。
【請求項３】
前記合波部により合波された光が内部を透過する光学部材と、を備え、
前記散乱部は、前記光学部材から漏れる漏れ光を散乱させる、請求項２に記載の光源装置。
【請求項４】
前記光学部材は、外面に光の進行方向に延びる稜線を有する、請求項３に記載の光源装置。
【請求項５】
前記漏れ光は、前記稜線からの漏れ光である、請求項４に記載の光源装置。
【請求項６】
前記光学部材は、光の進行方向と直交する断面形状が多角形形状に構成される、請求項３に記載の光源装置。
【請求項７】
前記散乱部は、光の進行方向に沿った前記光学部材の側面を囲むように配置される、請求項３に記載の光源装置。
【請求項８】
前記散乱部は、前記光学部材の前記側面を囲むように形成された溝状の凹部から構成される、請求項７に記載の光源装置。
【請求項９】
前記受光素子の受光面は、前記光学部材に向けて配置される、請求項３に記載の光源装置。
【請求項１０】
赤色光を生成する赤色光源と、
緑色光を生成する緑色光源と、
青色光を生成する青色光源と、を備え、
前記合波部による前記赤色光、前記緑色光、及び前記青色光の合波により白色光を得る、請求項２に記載の光源装置。
【請求項１１】
前記受光素子が検出した光信号に基づいて前記赤色光源、前記緑色光源、又は前記青色光源を制御する光源制御部を備える、請求項１０に記載の光源装置。
【請求項１２】
前記散乱部は、前記赤色光源、前記緑色光源、及び前記青色光源を収納する筐体である、請求項１０に記載の光源装置。
【請求項１３】
前記筐体の内面にブラスト処理が施された、請求項１２に記載の光源装置。
【請求項１４】
前記筐体の内面に白アルマイト処理、又は硫酸バリウムコート処理が施された、請求項１２に記載の光源装置。
【請求項１５】
前記筐体は金属からなり、前記筐体の内面に表面処理が行われていない、請求項１２に記載の光源装置。
【請求項１６】
異なる色の光を合波することと、
前記合波された光を散乱部により散乱させることと、
前記散乱部により散乱された光を検出することと、
を備える、光源装置における光検出方法。
【発明の詳細な説明】
【技術分野】
【０００１】
本開示は、医療用システム、光源装置、及び光源装置における光検出方法に関する。
【背景技術】
【０００２】
従来、例えば下記の特許文献１には、白色光を出射する白色光源と、それぞれの出射光の光量を独立して調整可能なＲＧＢ光源と、白色光及び出射光を合波して照明光とする合波部と、それぞれの出射光の光量を制御する制御部と、を備える光源装置について記載されている。
【先行技術文献】
【特許文献】
【０００３】
【特許文献１】国際公開第２０１６／０９２９５８号
【発明の概要】
【発明が解決しようとする課題】
【０００４】
上記特許文献に記載された技術では、赤色光、緑色光、青色光のそれぞれをモニターするモニター部を設けている。しかし、光が出力されるまでの光路上からモニター光を取り出す構成の場合、光の照射範囲にムラが生じることに起因して、光源の出力を上げると、光源の出力とモニター部の検出値との相関関係に変動が発生する問題がある。【０００５】
そこで、光源の出力を変化させた場合に、光源の出力とモニター光との相関関係に変動が生じないようにすることが求められていた。
【課題を解決するための手段】
【０００６】
本開示によれば、観察対象を撮像する撮像装置と、前記観察対象に照射する光を生成する光源装置と、を備え、前記光源装置は、異なる色の光を合波する合波部と、前記合波部により合波された光を散乱させる散乱部と、前記散乱部により散乱された光を検出する受光素子と、を有する、医療用システムが提供される。【０００７】
また、本開示によれば、異なる色の光を合波する合波部と、前記合波部により合波された光を散乱させる散乱部と、前記散乱部により散乱された光を検出する受光素子と、
を備える、光源装置が提供される。【０００８】
また、本開示によれば、異なる色の光を合波することと、前記合波された光を散乱部により散乱させることと、前記散乱部により散乱された光を検出することと、を備える、光源装置における光検出方法が提供される。
【発明の効果】
【０００９】
以上説明したように本開示によれば、光源の出力を変化させた場合に、光源の出力とモニター光との相関関係に変動が生じないようにすることができる。
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１０】
【図１】本開示の一実施形態に係る光源装置の構成を示す模式図である。
【図２】合波光学系の一例を示す模式図である。
【図３】ロッドインテグレータに入射したＲＧＢ光が、ロッドインテグレータ内で全反射を繰り返す様子を示す模式図である。
【図４】角形のロッドインテグレータの稜線から光が漏れる様子を示す図である。
【図５】ロッドインテグレータの断面形状のいくつかの例を示す模式図である。
【図６】、ロッドインテグレータと、ロッドインテグレータを支持する支持部材を示す模式図である。
【図７】受光素子により検出されたモニター光と、装置出力との相関関係を示す特性図である。
【図８】集光レンズからの反射位置に受光素子を配置してモニター光とする比較例を示す模式図である。
【図９】図８に示す構成例で得られるモニター光出力と装置出力との相関関係を示す特性図である。
【図１０】筐体を散乱光学系として用いる構成例を示す模式図である。
【図１１】光源装を備える医療用システムの構成を示す模式図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．前提となる技術
２．光源装置の全体構成例
３．合波光学系の構成例
４．ロッドインテグレータの構成例
５．散乱光学系の構成例
６．モニター光と装置出力との相関関係
７．筐体を散乱光学系として用いる構成例
８．医療用システムの構成例
【００１３】
１．前提となる技術
対象の内部構造を視る装置として、内視鏡は広く普及している。内視鏡は特に医療の分野において術式技術の発展に伴い急速に普及し、多くの診療分野で不可欠なものとなっている。
【００１４】
従来の内視鏡装置では、軟性鏡、硬性鏡を問わず、その照明用光源として、ランプ光源（キセノンランプやハロゲンランプ）や白色ＬＥＤ光源などの単一光源が主に用いられている。
【００１５】
一方、白色光は複数の光の組み合わせによって生成できるため、赤色ＬＥＤ、緑色ＬＥＤ、青色ＬＥＤを合波する光源なども出現している。このような光源は、白色の色合いを自由に設定できるという利点をもっているが、その反面、光の配分比の正確なコントロールが求められる。配分比のコントロールには、現在照射されている光源の出力のレベルを正確に把握しなければならない。配分比が僅かに適正でない場合であっても、観察する人の眼には、「赤っぽい白」などのように本来は白色であるべき光に色が付いて見えてしまう。このため、上述のような配分比の正確なコントロールが求められる。
【００１６】
一方、光源の出力を把握するために、光が出力されるまでの光路上から光源装置の装置出力と相関関係があるモニター光を取り出し、そのモニター光の変動で光源の出力を把握する手法がある。
【００１７】
一般的にＬＥＤ（Ｌｉｇｈｔ  Ｅｍｉｔｔｉｎｇ  Ｄｉｏｄｅ）やＬＤ（Ｌａｓｅｒ  Ｄｉｏｄｅ）などの半導体光源は、出力を上げると（印加電流を増加すると）その放射角は広がる傾向にある。また、放射角の範囲内で、照射される光の強度にはバラツキがある。このため、光源の出力を上げると、放射角の広がりに伴い、受光素子に入射する光がこのバラツキによって変動する。この傾向は、放射角の範囲に対して受光素子の受光面積が小さくなるほど顕著になる。従って、光路上からモニター光を取り出す方法では、光源の出力とモニター光の出力との相関関係を良好にすることはできない。
【００１８】
以上の点に鑑み、本実施形態では、放射角の範囲内で生じる光の強度のムラの影響を受けにくいモニター光を受光素子で受光し、その値を駆動部にフィードバックをして照明光の光量を制御する。
【００１９】
２．光源装置の全体構成例
まず、図１を参照して、本開示の一実施形態に係る光源装置１０００の構成について説明する。図１に示すように、光源装置１０００は、赤色光源（Ｒ光源）１００、緑色光源（Ｇ光源）２００、青色光源（Ｂ光源）３００、赤色光源制御部１１０、緑色光源制御部２１０、青色光源制御部３１０、合波光学系（合波部）４００、角型のロッドインテグレータ（光学部材）５００、散乱光学系（散乱部）６００、受光素子７００、照明光学系８００を有して構成されている。
【００２０】
赤色光源１００、緑色光源２００、青色光源３００のそれぞれは、半導体レーザから構成される。例えば、赤色光源１００としてはＧａＩｎＰ量子井戸構造レーザダイオード（ＲＬＤ）、緑色光源２００としてはＧａＩｎＮ量子井戸構造レーザダイオード（ＧＬＤ）、青色光源３００としては、ＧａＩｎＮ量子井戸構造レーザダイオード（ＢＬＤ）が用いられる。
【００２１】
赤色光源制御部１１０、緑色光源制御部２１０、青色光源制御部３１０は、赤色光源１００、緑色光源２００、青色光源３００のそれぞれを制御する。合波光学系４００は、赤色光源１００、緑色光源２００、青色光源３００から出射された光を合成する。
【００２２】
受光素子７００は、可視光領域を赤、緑、青それぞれの色信号に分けて検出できるＲＧＢカラーセンサから構成されている。より具体的には、受光素子７００は、ＲＧＢカラーフィルタを組み合わせたフォトダイオードから構成されている。照明光学系８００は、合波光学系４００による合波により得られた白色光を観察対象に照射するための光学系である。
【００２３】
３．合波光学系の構成例
図２は、合波光学系４００の一例を示す模式図である。図２に示すように、合波光学系４００は、コリメートレンズ４０２，４０４，４０６、ミラー４０８、ダイクロイックミラー（ＤＭ１）４１０、ダイクロイックミラー（ＤＭ２）４１２、集光レンズ４１４を有して構成されている。
【００２４】
赤色光源１００、緑色光源２００、青色光源３００から出射された光線は、各コリメートレンズ４０２，４０４，４０６によりコリメートされる。赤色光はミラー４０８にて９０°の角度で反射し、ダイクロイックミラー４１０、ダイクロイックミラー４１２を透過して集光レンズ４１４で集光される。緑色光は、ダイクロイックミラー４１０に向けて出射され、青色光は、ダイクロイックミラー４１２に向けて出射される。
【００２５】
ダイクロイックミラー４１０は、赤色波長を透過し緑色波長を反射する光学特性を有している。ダイクロイックミラー４１２は、赤色波長、緑色波長を透過し、青色波長を反射する光学特性を有している。赤色光源１００からの赤色波長は、ダイクロイックミラー４１０にて緑色光源２００からの緑色波長と合波し、ダイクロイックミラー４１２にて青色光源３００からの青色波長と合波する。合波された光は、集光レンズ４１４にて集光される。以上のようにして、赤色波長、緑色波長、青色波長が合波することで、合波光学系４００から白色光のレーザを出射することができる。
【００２６】
共通の集光レンズ４１４で集光させたＲＧＢ光は、ロッドインテグレータ５００にカップリングされる。ロッドインテグレータ５００は、例えば透明なガラス材から構成され、角柱形状を成している。ロッドインテグレータ５００は、光の進行方向と直交する方向の断面が角形（正方形）とされている。ロッドインテグレータ５００に入射したＲＧＢ光は、ロッドインテグレータ５００内で全反射を繰り返し、入射した側の端面とは反対側の端面から出射する。
【００２７】
４．ロッドインテグレータの構成例
図３は、ロッドインテグレータ５００に入射したＲＧＢ光が、ロッドインテグレータ５００内で全反射を繰り返す様子を示す模式図である。ＲＧＢ光は、ロッドインテグレータ５００の上面５０２、側面５０４、下面５０６などの平面で全反射し、図３中に矢印で示すように、全反射を繰り返しながらロッドインテグレータ５００の中を進んでいく。このように、ＲＧＢ光は、基本的には全反射によりロッドインテグレータ５００の内部に閉じ込められて、ロッドインテグレータ５００の中を進んでいく。
【００２８】
一方、ロッドインテグレータ５００の稜線（エッジ）５０８の近傍では、ＲＧＢ光がロッドインテグレータ５００の外に漏れる。ロッドインテグレータ５００の断面形状を丸型とすると漏れ光は生じないが、ロッドインテグレータ５００の断面形状を稜線５０８のある多角形形状とすると、稜線５０８の部分で光のミキシングが生じ、稜線５０８から僅かに光が漏れる。図４は、角形のロッドインテグレータ５００の稜線５０８から光が漏れる様子を示す図である。図４に示すように、ロッドインテグレータ５００の外形を示す輪郭に対して、その周囲に光が漏れていることが判る。本実施形態では、この漏れ光をモニター光として受光素子７００で受光し、赤色光源１００、緑色光源２００、青色光源３００の各光源の制御系である赤色光源制御部１１０、緑色光源制御部２１０、青色光源制御部３１０にフィードバックを行う。上述したように、受光素子７００は、可視光領域を赤、緑、青それぞれの色信号に分けて検出できるため、モニター光に基づいて赤色光源１００、緑色光源２００、青色光源３００を制御することで、各光源を最適に制御することができ、合波光学系４００により合波された光を白色光に制御することが可能となる。
【００２９】
従って、ロッドインテグレータ５００の断面形状を多角形とし、稜線を設けることで、漏れ光を生じさせることができ、漏れ光をモニター光として検出することが可能となる。ここで、稜線のエッジが鋭いほど漏れ光が大きくなり、より強度の高い漏れ光を検出することができる。従って、ロッドインテグレータ５００の断面形状が三角形の場合に、最も漏れ光の強度を高くすることができる。一方、例えば内視鏡の光源としてＲＧＢ光を使用する場合、ロッドインテグレータ５００の断面形状の光が最終的に患部に照射されるため、円に近い形状の光を照射した方が三角形形状の光を照射するよりも広範囲に照らすことができ、視認性も良くなる。従って、このような場合は、ロッドインテグレータ５００の断面形状を正方形、または正方形より頂点の多い多角形とすることが好適である。
【００３０】
また、漏れ光の強度が小さいと、モニター光の出力に対してゲインをかけて出力を増大させることになり、ノイズの影響が大きくなる。このため、漏れ光の強度を大きくしてモニター光を検出することでノイズの影響を低減できる。
【００３１】
従って、ロッドインテグレータ５００の断面形状は、光源装置１０００を使用する環境や、漏れ光の必要な強度に応じて適宜設定することが可能である。
【００３２】
また、ロッドインテグレータ５００の断面を多角形形状とすることで、ＲＧＢ光がロッドインテグレータ５００内で全反射を繰り返しながら進んでいくため、ミキシング効果により赤色、緑色、青色のムラを確実に無くす効果も得られる。
【００３３】
図５は、ロッドインテグレータ５００の断面形状のいくつかの例を示す模式図である。図５に示すように、ロッドインテグレータ５００の断面形状として、正方形、六角形などの多角形形状を用いることができる。なお、多角形形状の頂点の数は３以上であれば良い。また、図５の右側の図に示すように、ロッドインテグレータ５００の断面形状を円形とし、切欠き５０２を設けても良い。この場合、切欠き５０２の部分で漏れ光を生じさせることができる。
【００３４】
５．散乱光学系の構成例
図６は、ロッドインテグレータ５００と、ロッドインテグレータ５００を支持する支持部材５１０を示す模式図である。支持部材５１０は、図１に示した散乱光学系６００に対応する。図６に示すように、ロッドインテグレータ５００は、支持部材５１０によって両端部の近傍を支持されている。支持部材５１０は、例えばアルミニウムなどの金属によって構成されており、表面で光が反射するように構成されている。支持部材５１０には、ロッドインテグレータ５００の延在する方向に沿って凹部５１２が設けられており、ロッドインテグレータ５００は、凹部５１２の中に配置されている。これにより、ロッドインテグレータ５００は、凹部５１２の両側面と下面５１０ｂによって囲まれている。なお、図６では、ハッチングを付した切断面で支持部材５１０を切断した状態を示している。このため、図６では、ロッドインテグレータ５００の両側に位置する凹部５１２の両側面のうち、一方の側面５１０ａのみが図示されており、側面５１０ａと対向する側面は図示されていない。
【００３５】
このような構成により、ロッドインテグレータ５００の稜線からの漏れ光は、凹部５１０の両側面と下面５１０ｂにて散乱反射する。換言すれば、図６に示す座標系において、漏れ光は、凹部５１２を構成する壁面のうち、＋ｘ方向に位置する側面５１０ａと、−ｘ方向に位置する側面（不図示）と、−ｙ方向に位置する下面５１０ｂの３面で散乱反射する。
【００３６】
そして、凹部５１２の＋ｙ方向は開口され、そこに受光素子７００が配置されている。つまり、受光素子７００は、ロッドインテグレータ５００を挟んで、凹部５１２の下面５１０ｂと対向する位置に配置されている。受光素子７００の受光面は、ロッドインテグレータ５００に向けられている。
【００３７】
これにより、ロッドインテグレータ５００の４つの稜線５０８からの漏れ光が凹部５１２内で散乱し、散乱した漏れ光が受光素子７００により検出される。漏れ光を散乱させることで、光源の励起状態による変化が少なくなり、安定したモニター光を検出することが可能となる。従って、このようなモニター光に基づいて赤色光源１００、緑色光源２００、青色光源３００を制御することで、色温度が安定した照明光を提供することができる。
【００３８】
なお、図６に示す例では、凹部５１２の上部を開口する構成を示したが、凹部５１２の上部を閉塞し、ロッドインテグレータ５００の上面においても漏れ光を散乱反射させるようにしても良い。
【００３９】
受光素子７００の受光面は、ロッドインテグレータ７００が延在する方向と平行となるように配置されている。なお、受光素子７００の受光面がロッドインテグレータ７００の延在する方向に対して傾いていたとしても、受光面と、ロッドインテグレータ７００及び支持部材５１０との位置関係が固定されていれば、モニター光を安定して検出することができる。従って、受光素子７００の受光面は、ロッドインテグレータ５００に向けられていれば良い。
【００４０】
また、ロッドインテグレータ５００への光の入射側よりも、ロッドインテグレータ５００からの光の出射側の方がより漏れ光の強度が高くなる。従って、ロッドインテグレータ５００の長手方向において、光の出射側の端面により近い位置に受光素子７００を配置すると、漏れ光の受光強度を高めることができる。
【００４１】
以上のように、漏れ光を散乱させずに受光素子７００で検出することも可能であるが、漏れ光を散乱光学系６００で散乱させることで、より安定したモニター光を検出することが可能となる。
【００４２】
６．モニター光と装置出力との相関関係
図７は、受光素子７００により検出されたモニター光と、光源装置１０００の装置出力との相関関係を示す特性図である。光源装置１０００の装置出力は、光源装置１０００が出射する光の強度を示している。また、モニター光の出力は、受光素子７００で検出されるモニター光の強度を示している。図７に示すように、モニター光の出力と光源装置１０００の装置出力とは、非常に良好な線形関係を示していることが判る。
【００４３】
一方、図８は、集光レンズ４１４からの反射位置に受光素子７００を配置してモニター光とする比較例を示す模式図である。また、図９は、図８に示す構成例で得られるモニター光の出力と装置出力との相関関係を示す特性図である。図８のような構成例は従前から提案されているが、図９に示すように、モニター光出力と装置出力との間の線形関係は崩れてしまう。この現象は、上述した半導体レーザの出力を上げるほど放射角が広がる現象に起因しており、受光素子の位置や受光面積に依存して相関関係が崩れてしまう。なお、図７及び図９に示すＲ２は、相関係数（ｒ）の二乗値を表しており、図７の方がＲ２の値が大きく、Ｒ２の値が１に近い値となっており、モニター光の出力と装置出力との相関関係が良好であることを示している。変数ｘ，ｙのデータがｎ組存在する場合（（ｘ１，ｙ１），（ｘ２，ｙ２），・・・，（ｘｎ，ｙｎ））に、両者の相関係数（ｒ）は下式で与えられる。
【００４４】
【数１】
2019198380.tif 000003
【００４５】
このため、図８に示す構成例では、モニター光出力と装置出力との良好な相関を得ることができないため、受光素子７００で検出したモニター光の出力に基づいて、赤色光源１００、緑色光源２００、青色光源３００を精度良く制御し、白色光を得ることは困難である。
【００４６】
以上のように、本実施形態によれば、ロッドインテグレータ５００からの漏れ光を支持部材５１０の凹部５１２で散乱反射させ、受光素子７００で検出するため、モニター光出力と装置出力との良好な相関を得ることができる。従って、モニター光に基づいて、赤色光源１００、緑色光源２００、青色光源３００を精度良く制御することが可能となる。
【００４７】
７．筐体を散乱光学系として用いる構成例
上述した例では、散乱反射された光をモニター光として使用するために、ロッドインテグレータ５００の稜線からの漏れ光を利用した。一方、図１０は、筐体を散乱光学系６００として用いる構成例を示す模式図である。図１０に示すように、赤色光源１００、緑色光源２００、青色光源３００、合波光学系４００を含む構成要素を筐体９００で封止し、筐体９００の内面９０２の反射による散乱でミキシングされた光をモニターする。
【００４８】
この場合、筐体９００の内面９０２は、何も表面処理を施さないノンコートとすることができる。上述した支持部材５１０と同様に、筐体９００をアルミニウムなどの金属から構成し、内面９０２をノンコートとすることで、赤色光源１００、緑色光源２００、青色光源３００、または合波光学系４００からの漏れ光を内面９０２で散乱反射させることができる。
【００４９】
また、筐体９００の内面９０２には、ブラスト処理をして表面を荒らしたり、白アルマイト処理、硫酸バリウムコート処理など、より拡散反射しやすい表面処理を施してもよい。これにより、赤色光源１００、緑色光源２００、青色光源３００、または合波光学系４００からの漏れ光を内面９０２で良好に散乱反射させることができる。このように、筐体９００の内面９０２は、漏れ光を吸収しないように構成されていれば良い。
【００５０】
図１０に示すように、筐体９００に受光素子７００が設けられている。受光素子７００の受光面は筐体９００の内部に向けられている。これにより、筐体９００内で散乱した漏れ光をモニター光として、受光素子７００で検出することができる。
【００５１】
８．医療用システムの構成例
図１１は、光源装置１０００を備える医療用システム３０００の構成を示す模式図である。図１１に示す医療用システム３０００は、内視鏡システム、顕微鏡システムなどのシステムである。図１１に示すように、医療用システム３０００は、光源装置１０００に加えて、撮像装置（カメラヘッド）２０００を備える。
【００５２】
撮像装置２０００の内部には光学系及び撮像素子２０１０が設けられている。観察対象からの反射光（観察光）は光学系によって撮像素子２０１０に集光される。撮像素子２０１０によって観察光が光電変換され、観察光に対応する電気信号、すなわち観察像に対応する画像信号が生成される。
【００５３】
光源装置１０００によって生成された光は、観察対象に向かって照射される。内視鏡システムの場合、光源装置１０００によって生成された光は、撮像装置２０００に接続された内視鏡の鏡筒の内部に延設されるライトガイドによって鏡筒の先端まで導光され、患者の体腔内の観察対象に向かって照射される。また、顕微鏡システムの場合、光源装置１０００によって生成された光は、撮像装置２０００から観察対象に向けて直接的に照射される。また、光源装置１０００によって生成された光は、撮像装置２０００を介さずに、観察対象に直接照射しても良い。
【００５４】
以上説明したように本実施形態によれば、赤色光源１００、緑色光源２００、青色光源３００からの漏れ光を散乱させ、散乱した光をモニター光として受光素子７００で検出するようにした。これにより、光源装置の出力とモニター光との間の良好な相関関係を得ることができる。従って、モニター光出力に基づいて光源装置を最適に制御することが可能となる。
【００５５】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００５６】
例えば、上記実施形態では、主に医療用に用いられる光源装置に適用した例を示したが、本技術はかかる例に限定されない。例えば、プロジェクターなどの光源装置に適用しても良い。また、工業用内視鏡など、工業用の用途の光源装置に適用しても良い。
【００５７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００５８】
なお、以下のような構成も本開示の技術的範囲に属する。
（１）  観察対象を撮像する撮像装置と、
前記観察対象に照射する光を生成する光源装置と、
を備え、
前記光源装置は、
異なる色の光を合波する合波部と、
前記合波部により合波された光を散乱させる散乱部と、
前記散乱部により散乱された光を検出する受光素子と、
を有する、医療用システム。
（２）  異なる色の光を合波する合波部と、
前記合波部により合波された光を散乱させる散乱部と、
前記散乱部により散乱された光を検出する受光素子と、
を備える、光源装置。
（３）  前記合波部により合波された光が内部を透過する光学部材を備え、
前記散乱部は、前記光学部材から漏れる漏れ光を散乱させる、前記（２）に記載の光源装置。
（４）  前記光学部材は、外面に光の進行方向に延びる稜線を有する、前記（３）に記載の光源装置。
（５）  前記漏れ光は、前記稜線からの漏れ光である、前記（４）に記載の光源装置。
（６）  前記光学部材は、光の進行方向と直交する断面形状が多角形形状に構成される、前記（３）に記載の光源装置。
（７）  前記散乱部は、光の進行方向に沿った前記光学部材の側面を囲むように配置される、前記（３）〜（６）のいずれかに記載の光源装置。
（８）  前記散乱部は、前記光学部材の前記側面を囲むように形成された溝状の凹部から構成される、前記（７）に記載の光源装置。
（９）  前記受光素子の受光面は、前記光学部材に向けて配置される、前記（３）〜（８）のいずれかに記載の光源装置。
（１０）  赤色光を生成する赤色光源と、
緑色光を生成する緑色光源と、
青色光を生成する青色光源と、を備え、
前記合波部による前記赤色光、前記緑色光、及び前記青色光の合波により白色光を得る、前記（２）〜（９）のいずれかに記載の光源装置。
（１１）  前記受光素子が検出した光信号に基づいて前記赤色光源、前記緑色光源、又は前記青色光源を制御する光源制御部を備える、前記（１０）に記載の光源装置。
（１２）  前記散乱部は、前記赤色光源、前記緑色光源、及び前記青色光源を収納する筐体である、前記（１０）又は（１１）に記載の光源装置。
（１３）  前記筐体の内面にブラスト処理が施された、前記（１２）に記載の光源装置。
（１４）  前記筐体の内面に白アルマイト処理、又は硫酸バリウムコート処理が施された、前記（１２）に記載の光源装置。
（１５）  前記筐体は金属からなり、前記筐体の内面に表面処理が行われていない、前記（１２）に記載の光源装置。
（１６）  異なる色の光を合波することと、
前記合波された光を散乱部により散乱させることと、
前記散乱部により散乱された光を検出することと、
を備える、光源装置における光検出方法。
【符号の説明】
【００５９】
１００    赤色光源
１１０    赤色光源制御部
２００    緑色光源
２１０    緑色光源制御部
３００    青色光源
３１０    青色光源制御部
４００    合波光学系
５００    ロッドインテグレータ
５０８    稜線
５１０    支持部材
５１２    凹部
６００    散乱光学系
７００    受光素子
９００    筐体
９０２    内面
１０００  光源装置
２０００  撮像装置
３０００  医療用システム
【図１】
2019198380.tif 000004
【図２】
2019198380.tif 000005
【図３】
2019198380.tif 000006
【図４】
2019198380.tif 000007
【図５】
2019198380.tif 000008
【図６】
2019198380.tif 000009
【図７】
2019198380.tif 000010
【図８】
2019198380.tif 000011
【図９】
2019198380.tif 000012
【図１０】
2019198380.tif 000013
【図１１】
2019198380.tif 000014
【国際調査報告】
2019198380.tif 000015
2019198380.tif 000016
2019198380.tif 000017
2019198380.tif 000018